【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
アドレス情報及び／又はサーボ情報が記録されたサーボ情報面を有する記録媒体中にレーザー光線を照射することにより三次元的に情報を記録する光情報記録方法であって、
一つのレーザー光源からのレーザー光線を、アドレス情報及び／又はサーボ情報を読み取るための第１の光線と、記録媒体内に情報を記録するための第２の光線を含む２つ以上のレーザー光線に分割し、ついで前記第１の光線と第２の光線の光軸を同軸上に配置した上で、該第１の光線を前記サーボ情報面に照射して、該第１の光線の反射光からアドレス情報及び／又はサーボ情報を読み取り、該読み取ったアドレス情報及び／又はサーボ情報に基づいて前記第２の光線を前記記録媒体の水平方向の所定の位置で深さ方向の任意の位置に焦点を結ぶように照射して記録を行う光情報記録方法。
【請求項２】
前記第１の光線と第２の光線の偏光状態が互いに直交している請求項１に記載の光情報記録方法。
【請求項３】
ビットバイビットで記録を行う請求項１に記載の光情報記録方法。
【請求項４】
前記記録媒体の同一深さ位置の面を記録面として、該記録面を前記記録媒体の深さ方向に層状に形成することにより三次元的に情報を記録する請求項１に記載の光情報記録方法。
【請求項５】
前記サーボ情報面と該サーボ情報面に隣接する第１の記録面との間隔は、前記第１の記録面と該第１の記録面に隣接する第２の記録面との間隔以上とする請求項４に記載の光情報記録方法。
【請求項６】
前記分割されたレーザー光線の中で、前記第１の光線の強度が最も小さい請求項１に記載の光情報記録方法。
【請求項７】
前記アドレス情報及び／又はサーボ情報がエンボスピットで記録されている請求項１に記載の光情報記録方法。
【請求項８】
アドレス情報及び／又はサーボ情報が記録されたサーボ情報面を有する記録媒体中にレーザー光線を照射することにより三次元的に情報を記録する光情報記録装置であって、
１つのレーザー光源と、
該レーザー光源からのレーザー光線を、アドレス情報及び／又はサーボ情報を読み取るための第１の光線と、記録媒体内に情報を記録するための第２の光線を含む２つ以上のレーザー光線に分割するビーム分割手段と、
前記第２の光線の焦点深さを切り替える焦点深さ切替手段と、
前記第１の光線と第２の光線の光軸を同軸上に配置するビーム同軸配置手段と、
前記光軸が同軸上に配置された第１の光線と第２の光線を前記記録媒体に導く光学系と、
前記第１の光線の反射光から前記アドレス情報及び／又はサーボ情報を読み取るサーボ検出器とを備え、
前記サーボ検出器が前記サーボ情報面に照射された前記第１の光線の反射光から前記アドレス情報及び／又はサーボ情報を読み取り、前記焦点深さ切り替え手段が該読み取られたアドレス情報及び／又はサーボ情報に基づいて前記第２の光線の焦点深さを切り替えて、ついで該焦点深さが切り替えられた第２の光線が前記記録媒体の水平方向の所定の位置で深さ方向の任意の位置に焦点を結ぶように照射されて記録が行われる光情報記録装置。
【請求項９】
前記ビーム分割手段は、前記第１の光線と第２の光線の偏光状態が互いに直交するように分割する偏光ビームスプリッタである請求項８に記載の光情報記録装置。
【請求項１０】
前記記録はビットバイビットで行われる請求項８に記載の光情報記録装置。
【請求項１１】
前記記録媒体の同一深さ位置の面を記録面として、該記録面が前記記録媒体の深さ方向に層状に形成されることにより三次元的に情報が記録される請求項８に記載の光情報記録装置。
【請求項１２】
前記サーボ情報面と該サーボ情報面に隣接する第１の記録面との間隔は、前記第１の記録面と該第１の記録面に隣接する第２の記録面との間隔以上とされる請求項１１に記載の光情報記録装置。
【請求項１３】
前記第１の光線の光路内に、該第１の光線を偏光状態を変えずに通過させ、入射する前記第１の光線の反射光を該第１の光線の光軸からずらして出射するサーボ分波光学系を備える請求項８に記載の光情報記録装置。
【請求項１４】
前記分割されたレーザー光線の中で、第１の光線の強度を最も小さくする強度調整手段を備える請求項８に記載の光情報記録装置。
【請求項１５】
前記記録媒体は、アドレス情報及び／又はサーボ情報がエンボスピットで記録されたサーボ情報面を有している請求項９に記載の光情報記録装置。
【請求項１６】
請求項１〜７のいずれかに記載の光情報記録方法により三次元的に情報が記録された記録媒体中にレーザー光線を照射することにより記録された情報を再生する光情報再生方法であって、
一つのレーザー光源からのレーザー光線を、アドレス情報及び／又はサーボ情報を読み取るための第１の光線と、記録媒体内の情報を再生するための第３の光線を含む２つ以上のレーザー光線に分割し、ついで前記第１の光線と第３の光線の光軸を同軸上に配置した上で、該第１の光線を前記サーボ情報面に照射して、該第１の光線の反射光からアドレス情報及び／又はサーボ情報を読み取り、該読み取ったアドレス情報及び／又はサーボ情報に基づいて前記第３の光線を前記記録媒体の水平方向及び深さ方向の所定の位置に焦点を結ぶように照射し、該第３の光線の反射光から情報の再生を行う光情報再生方法。
【請求項１７】
請求項１〜７のいずれかに記載の光情報記録方法により三次元的に情報が記録された記録媒体中にレーザー光線を照射することにより記録された情報を再生する光情報再生装置であって、
１つのレーザー光源と、
該レーザー光源からのレーザー光線を、アドレス情報及び／又はサーボ情報を読み取るための第１の光線と、記録媒体内の情報を再生するための第３の光線とを含む２つ以上のレーザー光線に分割するビーム分割手段と、
前記第３の光線の焦点深さを切り替える焦点深さ切替手段と、
前記第１の光線と第３の光線の光軸を同軸上に配置するビーム同軸配置手段と、
前記光軸が同軸上に配置された第１の光線と第３の光線を前記記録媒体に導く光学系と、
前記第１の光線の反射光から前記アドレス情報及び／又はサーボ情報を読み取るサーボ検出器と、
前記第３の光線の反射光から情報の再生を行う再生検出器とを備え、
前記サーボ検出器が前記サーボ情報面に照射された前記第１の光線の反射光から前記アドレス情報及び／又はサーボ情報を読み取り、前記焦点深さ切り替え手段が該読み取られたアドレス情報及び／又はサーボ情報に基づいて前記第３の光線の焦点深さを切り替えて、ついで該焦点深さが切り替えられた第３の光線が前記記録媒体の水平方向及び深さ方向の所定の位置に焦点を結ぶように照射され、前記再生検出器が該第３の光線の反射光から情報の再生を行う光情報再生装置。
【手続補正２】
【補正対象書類名】明細書
【補正対象項目名】０００３
【補正方法】変更
【補正の内容】
【０００３】
ホログラフィック記録方法は、光の波長以下の間隔の干渉縞を記録媒体に物性変化として記録し、再生時は、再生光の干渉縞からの回折光を読み取るものである。例えば、特許文献１は、従来のホログラフィック技術を光ディスク記録技術に応用した一つの例が開示されており、波長の異なる２つの光源を用い、一つをホログラムにより情報を記録する光源として使用し、もう一つをサーボ用光源として使用している。
【手続補正３】
【補正対象書類名】明細書
【補正対象項目名】００１３
【補正方法】変更
【補正の内容】
【００１３】
前記課題を解決するために提供する本発明は、
アドレス情報及び／又はサーボ情報が記録されたサーボ情報面を有する記録媒体中にレーザー光線を照射することにより三次元的に情報を記録する光情報記録方法であって、一つのレーザー光源からのレーザー光線を、アドレス情報及び／又はサーボ情報を読み取るための第１の光線と、記録媒体内に情報を記録するための第２の光線を含む２つ以上のレーザー光線に分割し、ついで前記第１の光線と第２の光線の光軸を同軸上に配置した上で、該第１の光線を前記サーボ情報面に照射して、該第１の光線の反射光からアドレス情報及び／又はサーボ情報を読み取り、該読み取ったアドレス情報及び／又はサーボ情報に基づいて前記第２の光線を前記記録媒体の水平方向の所定の位置で深さ方向の任意の位置に焦点を結ぶように照射して記録を行う光情報記録方法である。
【手続補正４】
【補正対象書類名】明細書
【補正対象項目名】００１４
【補正方法】変更
【補正の内容】
【００１４】
ここで、前記第１の光線と第２の光線の偏光状態が互いに直交していることが好ましい。
【手続補正５】
【補正対象書類名】明細書
【補正対象項目名】００１５
【補正方法】変更
【補正の内容】
【００１５】
また、ビットバイビットで記録を行うことが好ましい。また、前記記録媒体の同一深さ位置の面を記録面として、該記録面を前記記録媒体の深さ方向に層状に形成することにより三次元的に情報を記録するとよく、さらに前記サーボ情報面と該サーボ情報面に隣接する第１の記録面（記録面Ａ）との間隔は、前記第１の記録面と該第１の記録面に隣接する第２の記録面（記録面Ｂ）との間隔以上とすることが好適である。
【手続補正６】
【補正対象書類名】明細書
【補正対象項目名】００１６
【補正方法】変更
【補正の内容】
【００１６】
また、前記分割されたレーザー光線の中で、第１の光線の強度が最も小さいことが好ましい。
また、前記アドレス情報及び／又はサーボ情報がエンボスピットで記録されているとよい。
【手続補正７】
【補正対象書類名】明細書
【補正対象項目名】００１７
【補正方法】変更
【補正の内容】
【００１７】
また前記課題を解決するために提供する本発明は、アドレス情報及び／又はサーボ情報が記録されたサーボ情報面を有する記録媒体中にレーザー光線を照射することにより三次元的に情報を記録する光情報記録装置であって、１つのレーザー光源と、該レーザー光源からのレーザー光線を、アドレス情報及び／又はサーボ情報を読み取るための第１の光線と、記録媒体内に情報を記録するための第２の光線を含む２つ以上のレーザー光線に分割するビーム分割手段と、前記第２の光線の焦点深さを切り替える焦点深さ切替手段と、前記第１の光線と第２の光線の光軸を同軸上に配置するビーム同軸配置手段と、前記光軸が同軸上に配置された第１の光線と第２の光線を前記記録媒体に導く光学系と、前記第１の光線の反射光から前記アドレス情報及び／又はサーボ情報を読み取るサーボ検出器とを備え、前記サーボ検出器が前記サーボ情報面に照射された前記第１の光線の反射光から前記アドレス情報及び／又はサーボ情報を読み取り、前記焦点深さ切り替え手段が該読み取られたアドレス情報及び／又はサーボ情報に基づいて前記第２の光線の焦点深さを切り替えて、ついで該焦点深さが切り替えられた第２の光線が前記記録媒体の水平方向の所定の位置で深さ方向の任意の位置に焦点を結ぶように照射されて記録が行われる光情報記録装置である。
【手続補正８】
【補正対象書類名】明細書
【補正対象項目名】００１８
【補正方法】変更
【補正の内容】
【００１８】
ここで、前記ビーム分割手段は、前記第１の光線と第２の光線の偏光状態が互いに直交するように分割する偏光ビームスプリッタであることが好ましい。
【手続補正９】
【補正対象書類名】明細書
【補正対象項目名】００２０
【補正方法】変更
【補正の内容】
【００２０】
また、前記記録媒体の同一深さ位置の面を記録面として、該記録面が前記記録媒体の深さ方向に層状に形成されることにより三次元的に情報が記録されるとよく、さらに前記サーボ情報面と該サーボ情報面に隣接する第１の記録面（記録面Ａ）との間隔は、前記第１の記録面と該第１の記録面に隣接する第２の記録面（記録面Ｂ）との間隔以上とされることが好適である。
【手続補正１０】
【補正対象書類名】明細書
【補正対象項目名】００２１
【補正方法】変更
【補正の内容】
【００２１】
また、前記第１の光線の光路内に、該第１の光線を偏光状態を変えずに通過させ、入射する前記第１の光線の反射光を該第１の光線の光軸からずらして出射するサーボ分波光学系を備えることが好ましい。
【手続補正１１】
【補正対象書類名】明細書
【補正対象項目名】００２２
【補正方法】変更
【補正の内容】
【００２２】
また、前記分割されたレーザー光線の中で、第１の光線の強度を最も小さくする強度調整手段を備えることが好ましい。
【手続補正１２】
【補正対象書類名】明細書
【補正対象項目名】００２４
【補正方法】変更
【補正の内容】
【００２４】
また前記課題を解決するために提供する本発明は、請求項１〜７のいずれかに記載の光情報記録方法により三次元的に情報が記録された記録媒体中にレーザー光線を照射することにより記録された情報を再生する光情報再生方法であって、一つのレーザー光源からのレーザー光線を、アドレス情報及び／又はサーボ情報を読み取るための第１の光線と、記録媒体内の情報を再生するための第３の光線を含む２つ以上のレーザー光線に分割し、ついで前記第１の光線と第３の光線の光軸を同軸上に配置した上で、該第１の光線を前記サーボ情報面に照射して、該第１の光線の反射光からアドレス情報及び／又はサーボ情報を読み取り、該読み取ったアドレス情報及び／又はサーボ情報に基づいて前記第３の光線を前記記録媒体の水平方向及び深さ方向の所定の位置に焦点を結ぶように照射し、該第３の光線の反射光から情報の再生を行う光情報再生方法である。
【手続補正１３】
【補正対象書類名】明細書
【補正対象項目名】００２５
【補正方法】変更
【補正の内容】
【００２５】
また前記課題を解決するために提供する本発明は、請求項１〜７のいずれかに記載の光情報記録方法により三次元的に情報が記録された記録媒体中にレーザー光線を照射することにより記録された情報を再生する光情報再生装置であって、１つのレーザー光源と、該レーザー光源からのレーザー光線を、アドレス情報及び／又はサーボ情報を読み取るための第１の光線と、記録媒体内の情報を再生するための第３の光線とを含む２つ以上のレーザー光線に分割するビーム分割手段と、前記第３の光線の焦点深さを切り替える焦点深さ切替手段と、前記第１の光線と第３の光線の光軸を同軸上に配置するビーム同軸配置手段と、前記光軸が同軸上に配置された第１の光線と第３の光線を前記記録媒体に導く光学系と、前記第１の光線の反射光から前記アドレス情報及び／又はサーボ情報を読み取るサーボ検出器と、前記第３の光線の反射光から情報の再生を行う再生検出器とを備え、前記サーボ検出器が前記サーボ情報面に照射された前記第１の光線の反射光から前記アドレス情報及び／又はサーボ情報を読み取り、前記焦点深さ切り替え手段が該読み取られたアドレス情報及び／又はサーボ情報に基づいて前記第３の光線の焦点深さを切り替えて、ついで該焦点深さが切り替えられた第３の光線が前記記録媒体の水平方向及び深さ方向の所定の位置に焦点を結ぶように照射され、前記再生検出器が該第３の光線の反射光から情報の再生を行う光情報再生装置である。
【手続補正１４】
【補正対象書類名】明細書
【補正対象項目名】００２６
【補正方法】変更
【補正の内容】
【００２６】
本発明の効果として、請求項１，８の発明によれば、光学系や記録媒体の構成を複雑にすることなく、確実な光線の位置決め制御を行い、安定した記録を行うことができる。すなわち、サーボ用及び記録用の光線を一つのレーザー光源から分割して得ることにより、サーボ用光源を別光源とする三次元体積記録の方法に比べ、安価に光学系を組むことが可能となる。また、それぞれの光源が異なる波長のレーザーを用いる場合に比べ、レンズの設計が容易となる。
また、請求項２，９の発明によれば、サーボ用光線と記録用光線を互いに直交偏光にすることにより、サーボ用光線と記録用光線を同軸に配置して、互いにオーバーラップする構成としても、記録媒体内に不要な干渉縞の影響を回避することができる。
また、請求項３，１０の発明によれば、ビットバイビットの記録においても、サーボ用及び記録用の光線を一つのレーザー光源から分割して得ることにより、サーボ用及び記録用の光線の波長が同じとなるため、所望の位置精度で光線を制御することが可能となる。  また、請求項４，５，１１，１２の発明によれば、層状記録の場合、サーボ情報面と該サーボ情報面に一番近い記録面（隣接する第１の記録面）との間隔を、該第１の記録面と第１の記録面に一番近い記録面（隣接する第２の記録面）との間隔より大きくすることにより、記録用光線のサーボ情報面からの回折／反射の影響が回避でき、また仮にサーボ光の集光による記録材料のダメージがあった場合でも、データ記録領域への影響を回避することができる。
また、請求項６，１４の発明によれば、サーボ用光線の強度を一番小さくすることにより、サーボ光による記録媒体への不要な書き込みを回避することが可能となる。
また、請求項７，１５の発明によれば、従来の方法でアドレス情報及び／又はサーボ情報の読取が可能となる。
請求項１３の発明によれば、第１の光線を偏光状態を変えずに通過させ、入射する前記光線１の反射光を該光線１の光軸からずらして出射するので、光学系をコンパクトに収めることができる。
請求項１６，１７の発明によれば、光学系や記録媒体の構成を複雑にすることなく、確実な光線の位置決め制御を行い、安定した再生を行うことができる。すなわち、サーボ用及び再生用の光線を一つのレーザー光源から分割して得ることにより、サーボ用光源を別光源とする三次元体積記録の方法に比べ、安価に光学系を組むことが可能となる。また、それぞれの光源が異なる波長のレーザーを用いる場合に比べ、レンズの設計が容易となる。
【手続補正１５】
【補正対象書類名】明細書
【補正対象項目名】００３４
【補正方法】変更
【補正の内容】
【００３４】
また本発明に係る光情報再生装置は、請求項１〜７のいずれかに記載の光情報記録方法により三次元的に情報が記録された記録媒体中にレーザー光線を照射することにより記録された情報を再生する光情報再生装置であって、１つのレーザー光源と、該レーザー光源からのレーザー光線を、アドレス情報及び／又はサーボ情報を読み取るための光線（光線１）、記録媒体内の情報を再生するための光線（光線３）を含む２つ以上のレーザー光線に分割するビーム分割手段と、前記光線３の焦点深さを切り替える焦点深さ切替手段と、前記光線１と光線３の光軸を同軸上に配置するビーム同軸配置手段と、前記光軸が同軸上に配置された光線１と光線３を前記記録媒体に導く光学系と、前記光線１の反射光から前記アドレス情報及び／又はサーボ情報を読み取るサーボ検出器と、前記光線３の反射光から情報の再生を行う再生検出器とを備え、前記サーボ検出器が前記サーボ情報面に照射された前記光線１の反射光から前記アドレス情報及び／又はサーボ情報を読み取り、前記焦点深さ切り替え手段が該読み取られたアドレス情報及び／又はサーボ情報に基づいて前記光線３の焦点深さを切り替えて、ついで該焦点深さが切り替えられた光線３が前記記録媒体の水平方向及び深さ方向の所定の位置に焦点を結ぶように照射され、前記再生検出器が該光線３の反射光から情報の再生を行うことを特徴とする。